(57)【要約】　　　（修正有）【課題】折り畳み式吹き払い柵の上支柱の収納作業をウィンチを使用して行う場合、防雪板の折り畳み収納に用いたワイヤーロープをウィンチドラムから取り外し、隣の上支柱に結びつけたワイヤロープをウィンチドラムに巻き付けるという作業が必要となり途中作業が中断して非効率であった。【解決手段】上支柱１の滑車下方にワイヤーロープガイド５を備え、下支柱２にウィンチ２２が取り付けられたウィンチ固定台７を係止する手段と、オフセットアーム６を係止する手段を備えるか、あるいはオフセットアーム６と一体となったウィンチ固定台７を係止する手段を備え、オフセットアーム６の上部には滑車を備え、ウィンチ固定台７に固定されたウィンチドラムをオフセットアーム６の滑車のほぼ鉛直下方に位置させ、下支柱ガイド材の上部に下方に折り畳んだリンク材が持ち上がらないための手段を備えた折り畳み式収納式吹き払い防雪柵とする。【選択図】　　　　図８
2004044357.tif 000002
【特許請求の範囲】
【請求項１】
防雪板支持部にパンタグラフ状リンク機構１２を備え、上支柱１が下支柱２に対して側方に回転可能なように取り付けられている折り畳み収納式吹き払い防雪柵に於いて、上支柱１の滑車３下方にワイヤーロープガイド５を備え、下支柱２にウィンチ２２が取り付けられたウィンチ固定台ベース８を係止する手段と、オフセットアーム６を係止する手段を備えるか、あるいはオフセットアーム６と一体となったウィンチ固定台ベース８を係止する手段を備え、オフセットアーム６の上部には滑車３を備え、ウィンチ固定台７に固定されたウィンチドラム９をオフセットアーム６の滑車３のほぼ鉛直下方に位置させ、下支柱ガイド材１１の上部に下方に折り畳んだリンク材が持ち上がらないための手段を備えた折り畳み式収納式吹き払い防雪柵。
【発明の詳細な説明】
【０００１】
【発明の属する技術分野】
本発明は、冬期道路上の視界を確保するため車道脇に設置されている吹き払い防雪柵の収納作業の改善に係わるものである。
【０００２】
【従来の技術】
一般的に吹き払い防雪柵は幅５０ｃｍ程度の防雪板を４段程度に上下に多段に配列し、柵背後から吹く風を道路上を吹き払うように板面を傾斜させた構造を持つ。吹き払い防雪柵は、道路側端に近接して設置されるため、冬期以外の不要時期には運転者の側方視界を妨げたり圧迫感を与える。それゆえ、不要時期にはリンク機構を用いて防雪板部を支柱間下方に折り畳んだ後、さらに支柱も側方に倒して側方視界を良好にする、いわゆる収納が行われている。
【０００３】
Ｘ字上にリンク材を交差させたいわゆるパンタグラフ状リンク機構を利用した防雪板部の収納は、最上段、あるいは最下段のリンク交差部のローラーにワイヤーロープを結合しておき、それを手動ウィンチ、あるいは電動ウィンチで巻き下げることによって行われる。上支柱は地上高７０ｃｍから８０ｃｍの位置で側方に回転可能なように蝶番で結合された構造とし、建て込み時にはボルトで固着されている。
【０００４】
防雪板の収納に引き続き、上支柱を側方に倒して水平にする収納は、通常、人手によって行われているが、特開平９−２９６４１７において、ウィンチを用いて行う方法が公開されている。
【０００５】
【発明が解決しようとする課題】
特開平９−２９６４１７のように折り畳み式吹き払い柵の上支柱の収納作業をウィンチを使用して行えば、人力で支えながら行うのに比較して危険が無く、過酷な作業を軽減することが出来る。しかし、防雪板の折り畳み収納に用いたワイヤーロープをウィンチドラムから取り外し、隣の上支柱に結びつけたワイヤロープをウィンチドラムに巻き付けるという作業が必要となる。そのために作業が中断するので効率的に収納作業を行えないという欠点がある。
【０００６】
また、隣の上支柱を倒すので、ウィンチを操作している者が十分安全を確認しながら作業でき無いという欠点がある。本発明は防雪板部を折り畳み下方収納すると共に、ウィンチドラムのワイヤーを掛け替えることなく、そのまま連続的に支柱の側方倒し作業をウィンチで行うことができ、作業に用いるウィンチを係止した下支柱の上支柱が収納対象である安全な構造を提供するものである。
【０００７】
【課題を解決するための手段】
防雪板支持部にパンタグラフ状リンク機構を備え、上支柱が下支柱に対して側方に回転可能なように取り付けられている折り畳み収納式吹き払い防雪柵に於いて、上支柱の滑車下方にワイヤーロープガイドを備え、下支柱にウィンチが取り付けられたウィンチ固定台ベースを係止する手段と、オフセットアームを係止する手段を備えるか、あるいはオフセットアームと一体となったウィンチ固定台ベースを係止する手段を備え、オフセットアームの上部には滑車を備え、ウィンチ固定台に固定されたウィンチドラムをオフセットアームの滑車のほぼ鉛直下方に位置させ、下支柱ガイド材の上部に下方に折り畳んだリンク材が持ち上がらないための手段を備えた折り畳み式収納式吹き払い防雪柵。
【０００８】
【発明の実施の形態】
以下、実施の形態を図１〜図１０に基づいて説明する。
上支柱１と下支柱２はパンタグラフ状リンク機構１２の交点に設けられたローラーが摺動できるように、Ｈ型鋼あるいはリップＨ型鋼を用いたガイド部と、必要な強度を出すための補強材２１を平鋼などで連結された構造を持つ。また、上支柱１と下支柱２の連結部１３には建て込み時にはボルトで強固に固着できるように、上支柱１には最下部に、下支柱２では最上部に連結板が溶接されている。また、互いの連結板の側端部は蝶番で回転可能なように連結されている。従って、連結部１３のボルトを取り外すことにより、上支柱１は側方に回転可能となる。リンク機構の交点に設けられたローラーの最上部には防雪板部の巻き上げ、巻き下ろしの際に用いるワイヤーロープ４が取り付けられている。
【０００９】
上支柱１の上部には滑車３が取り付けられており、また、実施例では補強材２１側から巻き上げ巻き下ろし作業を行うので、第二の滑車３を補強材２１上部に設けてウィンチ２２側にワイヤーロープ４を誘導する。また、上支柱１を側方に倒す際にワイヤーロープ４の張力方向が変化した場合に第二の滑車３からワイヤーロープ４が外れないように第二の滑車３の下方の補強材２１にワイヤーロープガイド５を取り付けておく。本実施例のワイヤーロープガイド５は倒れ方向と反対の部分に開口部を設けた円弧状のフックとし補強材２１に溶接で取り付けてある。
【００１０】
下支柱ガイド材１１の上部には貫通孔１５を設け、その孔に差し込むことが出来るピン１６を用意しておく。
以上が、本発明の防雪柵の構造に係わる実施例である。
【００１１】
次に、本発明の収納作業に使用するオフセットアーム６とウィンチ固定台７に関して説明する。オフセットアーム６とウィンチ固定台７は別々の独立した部材にしても機能上問題がないが、本実施例では一体化したものに関して説明する。
オフセットアーム６は下支柱係止部１７に取り付けた状態で、上支柱１倒し方向と逆方向に鉛直から５°〜１５°程度傾き、長さは５０ｃｍから１ｍ程度の棒状の部材であり、上部に滑車３を設けたものである。オフセットアーム６はウィンチ固定台７に溶接などによって強固に取り付ける。また、ウィンチ固定台７にはウィンチ２２をボルトで固定するが、その取り付け位置はウィンチドラム９がオフセットアーム６に取り付けた滑車３のほぼ鉛直下方になる位置とする。
収納作業を行う際、ウィンチ固定台ベース８を防雪柵に係止させるために下支柱にはウィンチ固定台ベース８を挟み込める幅に「状に折り曲げた板を上下に対向させて溶接しておき下支柱係止部１７とする。
【００１２】
本発明の以上のような構成持ち、収納作業を行うときは以下のように行う。
ウィンチ固定台ベース８を収納するスパンの両側の下支柱係止部１７にそれぞれ係止する。防雪柵のＸ字状リンク材交点に設けられた最上部あるいは最下部ローラーに取り付けられたワーヤーロープ４をそれぞれ第一の滑車、第二の滑車、ワイヤーロープガイド５を経由させ、さらにオフセットアーム６の上部に設けられた滑車３を介してから、下方にあるウィンチドラム９に巻き付ける。
【００１３】
ウィンチ２２を少し巻き上げて、リンク材を支えでいるストッパーボルトを外す。その後、ウィンチ２２を巻き下げていくとリンク材及び取り付けられた防雪板が上下支柱ガイド材（１０、１１）間を降下していく。下支柱２に設けられた下部ストッパー２３にＸ字状リンクの最下部ローラーが達するとリンクは下支柱２間に折り畳まれていき収納される。次に、下支柱ガイド材１１の上部に設けられた貫通孔１５にピン１６を挿入する。また、上支柱１と下支柱２を固着させているボルトを外すことによって上支柱１を回転可能なようにする。
【００１４】
そして、ウィンチ２２をさらに巻き下げていくと、図　のように上支柱１が自重で側方に倒れていく。倒れていくに従ってワイヤーロープ４に掛かる張力が増大するが、下支柱２に挿入されたピン１６により下支柱２間に収納された防雪板部が引き上げられることはない。上支柱１を完全に水平まで倒したら、ウインチドラム９からワイヤーロープ４を取り外し、ウィンチ固定台ベース８を下支柱係止部１７から取り外して、このスパンの収納作業を完了する。
【００１５】
【発明の効果】
以上のように本発明は最大の効果は、防雪板の収納と上支柱の側方に倒す収納を、ワイヤーロープの掛け替えなしに連続的に行える点にある。また、特開平９−２９６４１７のようにウィンチを取り付けた防雪柵支柱の隣の支柱をウィンチ操作で側方に倒すのではないので、ウィンチ操作をする作業者が至近距離で安全を確認しながら行うことが出来るという効果がある。
【００１６】
また、特開平９−２９６４１７によれば、隣の支柱を倒す場合は２スパン分の防雪板部をすでに下降させていないと上支柱を倒す作業ができないが、本発明の場合はウィンチが取り付けられている支柱間１スパン分の防雪板部が下降させることにより、上支柱を倒す作業が行える。従って、作業手順が分かりやすく、ウィンチの付け替えなども必要がないので作業効率が上がるという効果がある。
【図面の簡単な説明】
【図１】折り畳み吹き払い防雪柵の展開時の正面図である。
【図２】折り畳み吹き払い防雪柵の収納時の正面図である。
【図３】折り畳み吹き払い防雪柵の収納時の側面図である。
【図４】折り畳み吹き払い防雪柵の防雪板収納作業中の正面図である。
【図５】折り畳み吹き払い防雪柵の防雪板収納作業中の側面図である。
【図６】折り畳み吹き払い防雪柵の防雪板収納完了時の側面図である。
【図７】折り畳み吹き払い防雪柵の上支柱収納開始時の側面図である。
【図８】折り畳み吹き払い防雪柵の上支柱収納の進行を表す正面図である。
【図９】オフセットアームとウィンチ部の正面図である。。
【図１０】オフセットアームとウィンチ部の側面図である。
【符号の説明】
１　　　上支柱
２　　　下支柱
３　　　滑車
４　　　ワイヤーロープ
５　　　ワイヤーロープガイド
６　　　オフセットアーム
７　　　ウィンチ固定台
８　　　ウィンチ固定台ベース
９　　　ウィンチドラム
１０　　上支柱ガイド材
１１　　下支柱ガイド材
１２　　パンタグラフ状リンク機構
１３　　連結部
１４　　蝶番
１５　　貫通孔
１６　　ピン
１７　　下支柱係止部
１８　　タイバー
１９　　アンカーボルト
２０　　基礎コンクリートブロック
２１　　補強材
２２　　ウィンチ
２３　　下部ストッパー
２４　　防雪板
２５　　エンジン発電器
【図１】
2004044357.tif 000003
【図２】
2004044357.tif 000004
【図３】
2004044357.tif 000005
【図４】
2004044357.tif 000006
【図５】
2004044357.tif 000007
【図６】
2004044357.tif 000008
【図７】
2004044357.tif 000009
【図８】
2004044357.tif 000010
【図９】
2004044357.tif 000011
【図１０】
2004044357.tif 000012